(57)【要約】      （修正有）【課題】独自制御が可能な複数の発熱ゾーンを含み、エネルギー利用効率を向上できる知的な機能を有する保温布団を提供する。【解決手段】保温布団は最下層１、断熱層２、蓄熱層３、発熱層４と表面層５で構成され、発熱層４は複数の発熱ゾーンを含み、各発熱ゾーンに独自制御できる発熱回路があり、複数の発熱回路が電気的に並列接続されている。【選択図】図２
0003207762.tif 000002
【実用新案登録請求の範囲】
【請求項１】
保温布団であって、
下部から上部に、最下層、断熱層、蓄熱層、発熱層及び表面層で構成され、
前記発熱層は複数の発熱ゾーンを含み、前記各発熱ゾーンに独立して制御できる発熱回路があり、複数の発熱回路が電気的に並列接続されていることを特徴とする、保温布団。
【請求項２】
前記複数の発熱回路が１つの制御ユニットと連結し、
前記制御ユニットは表面層のへりに設置されていることを特徴とする、請求項１に記載の保温布団。
【請求項３】
前記表面層のへりに防水カプセルが縫製され、
前記制御ユニットが前記防水カプセルに密封し、設置されていることを特徴とする、請求項２に記載の保温布団。
【請求項４】
前記防水カプセルに充電用ＵＳＢポートがあり、
前記ＵＳＢポートに防水ガスケットが設置されていることを特徴とする、請求項３に記載の保温布団。
【請求項５】
前記各発熱ゾーンは、対応する表面層に遠赤外線生地が縫製されていることを特徴とする、請求項１に記載の保温布団。
【請求項６】
前記制御ユニットはブルートゥースモジュール、制御モジュール及び回路盤を含み、
前記ブルートゥースモジュールと前記制御モジュールが前記回路盤に設置され、
前記ＵＳＢポートが前記回路盤に設置されていることを特徴とする、請求項４に記載の保温布団。
【請求項７】
前記各発熱ゾーンにフレキシブル温度センサーが設置され、
前記フレキシブル温度センサーが前記制御ユニットに連結されていることを特徴とする、請求項２に記載の保温布団。
【請求項８】
前記蓄熱層が波紋状態であり、
前記蓄熱層が蓄熱用のポリエステル充填材料を含み、
前記ポリエステル充填材料が波紋の溝に充填されていることを特徴とする、請求項１に記載の保温布団。
【請求項９】
前記各発熱ゾーンに陰イオンボールと電気石が設置され、
前記陰イオンボールと電気石が間隔的に前記各発熱ゾーンに設置され、
前記陰イオンボールと前記電気石が偏平的な弧状構成であり、刺繍で前記発熱ゾーンに固定されていることを特徴とする、請求項１に記載の保温布団。
【請求項１０】
前記陰イオンボールと前記電気石は炭素繊維で前記発熱層に縫製されていることを特徴とする、請求項９に記載の保温布団。
【考案の詳細な説明】
【技術分野】
【０００１】
本考案は健康に貢献する技術にかかり、具体的には知的な機能を有する保温布団に関する。
【背景技術】
【０００２】
従来、市場における健康に良い保温布団の大半は機能が単一である。このような保温布団の一例は布団本体の正面に玉の片又は玉の粒を設置し、玉片又は玉の粒を加熱し、赤外線を放射する。このように、従来の保温布団は、人体のために赤外線加熱成分が伝導できる温熱環境を作ることにより、人体に健康、快適なリラックス環境を作っている（非特許文献１参照）。
【先行技術文献】
【非特許文献】
【０００３】
【非特許文献１】インターネット＜ＵＲＬ：https://ja.wikipedia.org/wiki/%E9%9B%BB%E6%B0%97%E6%AF%9B%E5%B8%83＞
【考案の概要】
【考案が解決しようとする課題】
【０００４】
しかしながら、従来の電気を利用して布団を加熱する技術は、布団全体を加熱する技術であり、制御機能が単一であり、ユーザーの要求により制御ゾーンの選択ができず、エネルギー利用効率が低下している。
【０００５】
そこで本考案は、このような問題に鑑みてなされたものであり、その目的とするところは、布団を加熱制御する技術の機能が単一であり、ユーザーの要求により制御ゾーンの選択ができないためにエネルギー利用効率の低下を招くなどの問題を解決することの可能な保温布団を提供することにある。
【課題を解決するための手段】
【０００６】
上記課題を解決するために、本考案によれば、一種類の保温布団を提供し、下部から上部に、最下層、断熱層、蓄熱層、発熱層と表面層で構成され、発熱層は複数の発熱ゾーンを含み、各発熱ゾーンに独自制御できる発熱回路があり、複数の発熱回路が電気的に並列接続されていることを特徴とする、保温布団が提供される。
【０００７】
好ましくは、複数の発熱回路が１個の制御ユニットと連結し、前記制御ユニットは表面層のへりに設置されていてもよい。
【０００８】
好ましくは、前記表面層のへりに防水カプセルが縫製され、前記制御ユニットが前記防水カプセルに密封し、設置されていてもよい。
【０００９】
好ましくは、前記防水カプセルに充電用ＵＳＢポートがあり、前記ＵＳＢポートに防水ガスケットが設置されていてもよい。
【００１０】
好ましくは、前記各発熱ゾーンは、対応する表面層に遠赤外線生地が縫製されている。
【００１１】
好ましくは、前記制御ユニットはブルートゥース（登録商標）モジュール、制御モジュールと回路盤を含み、前記ブルートゥースモジュールと前記制御モジュールが前記回路盤に設置され、前記ＵＳＢポートが前記回路盤に設置されていてもよい。
【００１２】
好ましくは、前記各発熱ゾーンにフレキシブル温度センサーが設置され、前記フレキシブル温度センサーが前記制御ユニットに連結されていてもよい。
【００１３】
好ましくは、前記蓄熱層が波紋状態であり、前記蓄熱層が蓄熱用のポリエステル充填材料を含み、前記ポリエステル充填材料が波紋の溝に充填されていてもよい。
【００１４】
好ましくは、前記各発熱ゾーンに陰イオンボールと電気石が設置され、前記陰イオンボールと電気石が間隔的に前記各発熱ゾーンに設置され、前記陰イオンボールと前記電気石が偏平的な弧状構成であり、刺繍で前記発熱ゾーンに固定されていてもよい。
【００１５】
好ましくは、前記陰イオンボールと前記電気石は炭素繊維（炭素繊維線）で前記発熱層に縫製されていてもよい。
【考案の効果】
【００１６】
本考案の保温布団によれば、複数の発熱ゾーンを含み、各発熱ゾーンに独自制御できる発熱回路があり、保温布団発熱時、要求により対応する発熱ゾーンの発熱回路で発熱を制御し、全体の保温布団発熱させるではなく、エネルギーを節約でき、フレキシブルな使用ができるようになった。同時に、発熱回路が電気的に並列接続されているため、一部の発熱回路が損傷するとしても、他の発熱回路に影響せず、保温布団の全体の使用に影響しないようになり、保温布団の使用性が向上できる。このように本考案は、知的なあるいはハイテクな保温布団である。本考案のその他の効果については、以下の考案を実施するための形態の項でも説明する。
【図面の簡単な説明】
【００１７】
【図１】本考案の一実施形態にかかる保温布団の構成図である。
【図２】本考案の一実施形態にかかる保温布団の分解構成図である。
【図３】本考案の一実施形態にかかる保温布団の発熱層の構成図である；
【図４】本考案の一実施形態にかかる保温布団の制御ユニットの構成図である。
【考案を実施するための形態】
【００１８】
以下に添付図面を参照しながら、本考案の好適な実施の形態について詳細に説明する。なお、本明細書及び図面において、実質的に同一の機能構成を有する構成要素については、同一の符号を付することにより重複説明を省略する。なお、本考案を十分に理解するために、下記説明の中、十分な詳細内容を提供する。しかしながら、本技術分野の技術者はこちらの特定詳細内容がなくても本考案を実施することもできる。他の状況で、周知の方法、過程、構成品と回路などの詳細内容を提供することにより、本考案の理解に影響することを避ける。
【００１９】
本実施形態の保温布団について、図１〜図４を参照しながら説明する。なお、図１〜図４は本考案のさらなる理解を図るためのものであるが、図１〜図４の図示及びその説明は本考案を制限するものではない。
【００２０】
保温布団は、図１〜図４に示したように、下部から上部に向かって、最下層１、断熱層２、蓄熱層３、発熱層４と表面層５で構成される。発熱層４は複数の発熱ゾーンを含み、各発熱ゾーンに独自制御できる発熱回路１１があり、複数の発熱回路１１が電気的に並列接続されている。
【００２１】
保温布団は複数の発熱ゾーンを含み、各発熱ゾーンに独自制御できる発熱回路１１がある。保温布団は発熱時に、要求により対応する発熱ゾーンの発熱回路１１で発熱が制御される。このため、保温布団全体を発熱させる必要がないので、エネルギーを節約でき、フレキシブルな使用ができる。同時に、発熱回路１１が電気的に並列接続されているため、一部の発熱回路１１が損傷しても、他の発熱回路１１に影響しない。このため、保温布団全体としては、使用に影響しないようになり、保温布団の使用性が向上できる。
【００２２】
複数の発熱回路１１が一個の制御ユニットに連結され、制御ユニットが表面層５のへり部分に設置されている。複数の発熱回路１１が同一の制御ユニットで別々に制御できるため、制御構成の集積性を向上させ、経路設計のためのスペースを節約できる。制御ユニットは表面層５のへり部分に設置されるため、使用時に制御ユニットがユーザーに当たることが避けられ、使い勝手を向上できる。
【００２３】
防水カプセル６が表面層５のへり部分に縫製され、制御ユニットが防水カプセル６に密封設置されている。防水カプセル６はシリカゲル製が可能であり、防水カプセルの柔軟性及び防水性を向上させ、制御ユニットに有効的な防水機能を果たせる。防水カプセル６は表面層５のへりに位置し、形状は立方体であり、布団の５つの部分を縦断する。防水カプセル６は有効的に制御ユニットを防水でき、直接布団を洗濯でき、布団の便利性を向上できる。
【００２４】
防水カプセル６には充電用ＵＳＢポート７が設けられている。このＵＳＢポート７には防水ガスケットが設置されている。ＵＳＢポート７が保温布団に設けられることで、便利に電源と接続することが実現でき、構造が簡単であり、使いやすい。当然、防水カプセル６内部に電源を設置し、防水カプセル６を密封すると、防水カプセル６の密封性をさらに向上できる。
【００２５】
表面層が一般的な紡織生地であり、各発熱ゾーンが対応する表面層に遠赤外線生地が縫製される構成とすることで、遠赤外線が放射でき、人体の健康に良い影響を与えるという機能を果たすことができる。
【００２６】
制御ユニットはブルートゥースモジュール８、制御モジュール９、及び回路盤１０を含み、ブルートゥースモジュール８と制御モジュール９とが回路盤１０に設置される。ＵＳＢポート７は回路盤１０に設置されている。ブルートゥースモジュール８はブルートゥース信号で携帯電話とやり取りする。携帯電話はブルートゥースモジュール８に制御信号を発信し、ブルートゥースモジュールが制御信号を制御モジュール９に伝え、制御モジュール９で発熱回路１１を制御することができる。回路盤１０を用いることで、発熱回路１１、ブルートゥースモジュール８、制御モジュール９及びＵＳＢポート７の設置と配置を簡単に実現することができる。制御モジュール９の例としてはＣＰＵまたはワンチップマイクロコンピューター等である。
【００２７】
各発熱ゾーンにフレキシブル温度センサー１２が設置され、上記フレキシブル温度センサー１２が制御ユニットに連結されている。フレキシブル温度センサー１２で確実に各発熱ゾーンの実温度を得ることができ、特定のゾーンの温度を調整することができ、特定ゾーンの温度をユーザーの要求を満たすことができる。
【００２８】
本実施形態では、発熱ゾーンが肩部、腰部、及び足部の３部分に分かれる。さらに肩部は左右に分かれ、発熱ゾーンＡとＢになる。腰部は一つであり、発熱ゾーンＣになる。足部は二つに分かれ、発熱ゾーンＤとＥになる。この分け方が人体の構成に合い、ユーザーへ快適な使用感を提供できる。フレキシブル温度センサー１２が３つある場合、それぞれが肩部、腰部及び足部の発熱温度を観測する。フレキシブル温度センサー１２が５つある場合、それぞれが各発熱ゾーンを観測する。発熱層の各発熱ゾーンは発熱糸で構成され、各部分が１つの独立回路を構成する。そして、３つの回路が肩部、腰部、及び足部で分配並列し、それぞれ制御ユニットに接続する。
【００２９】
蓄熱層３は吸熱、蓄熱機能のある材料で作られ、熱を蓄積し、継続してユーザーへ熱を供給し、布団の保温効果を向上する。本実施形態では、蓄熱層３が波紋状態であり、蓄熱用のポリエステル充填材料を含む。ポリエステル充填材料は波紋の溝に充填されている。蓄熱層３を波紋状態に設置する目的は、蓄熱層３の蓄熱スペースを拡大し、より多くの蓄熱材料を充填し、蓄熱層３の蓄熱機能を向上し、布団の保温効果を長くすることである。当然、蓄熱層３は格子状で設計することも可能である。
【００３０】
断熱層２は熱量を反射できるポリエチレン（ＰＥ）又はアルミめっきフィルムで構成されており、布団の熱量発散を防止でき、布団の保温性と熱利用効率を向上し、熱量の損失が減少できる。
【００３１】
最下層１は一般的な紡織材料である。最下層１は四角に滑り止め用のゴムが設置され、布団使用中に滑りにくくなり、伸ばす状態を保持され、ユーザーの使用感を向上できる。
【００３２】
各発熱ゾーンに陰イオンボールと電気石とが間隔をあけて設置される。陰イオンボールと電気石とは偏平的な弧状構成であり、刺繍で発熱ゾーンに固定されている。
【００３３】
本実施形態において、陰イオンボールと電気石とは炭素繊維線で発熱層４に縫製されている。陰イオンボールは人体に有益な陰イオンボールを生成し、布団の健康に良い機能をさらに向上する。電気石は炭素繊維線が赤外線を生成し、遠赤外線生地と協働し、布団の遠赤外線放射能力を向上でき、布団の健康に良い機能をさらに向上できる。
【００３４】
本実施形態において、最下層１、断熱層２、蓄熱層３が最初にキルティングミシンで一体に縫製され、発熱層４と表面層５を本縫いミシンで最下層１、断熱層２と蓄熱層３の上部に縫製して固定し、最後に布団全体の四角を縁取りし、布団の全体構成の安定性をさらに向上する。
【００３５】
（本実施形態の効果）
以上説明したように、本実施形態の保温布団によれば、複数の発熱ゾーンを含み、各発熱ゾーンに独立して制御できる発熱回路があり、保温布団発熱時、要求により対応する発熱ゾーンの発熱回路で発熱を制御し、全体の保温布団発熱させるではなく、エネルギーを節約でき、フレキシブルな使用ができるようになった。同時に、発熱回路が電気的に並列接続されているため、一部の発熱回路が損傷するとしても、他の発熱回路に影響せず、保温布団の全体の使用に影響しないようになり、保温布団の使用性が向上できる。
【００３６】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。すなわち、上記の実施形態の説明は本考案の方法及び基本アイデアを理解することを図るだけである。同時に、本技術分野の一般技術者に対し、本考案の思想により、具体実施方式及び応用範囲内変更が実現できる。つまり本明細書の内容が本考案に対する制限ではないと理解される。
【産業上の利用可能性】
【００３７】
本考案は健康に貢献する技術に利用可能であり、具体的には保温布団に利用可能である。
【符号の説明】
【００３８】
１  最下層
２  断熱層
３  蓄熱層
４  発熱層
５  表面層
６  防水カプセル
７  ＵＳＢポート
８  ブルートゥースモジュール
９  制御モジュール
１０  回路盤
１１  発熱回路
１２  フレキシブル温度センサー
【図１】
0003207762.tif 000003
【図２】
0003207762.tif 000004
【図３】
0003207762.tif 000005
【図４】
0003207762.tif 000006